(57)【要約】  義歯床と、義歯床に配列される少なくとも２本の人工歯と、を備える義歯を製作するための方法が開示される。方法は、義歯床を取得するステップと、少なくとも２本の人工歯を所望の相対的配列に維持するために共通配置支持体が少なくとも２本の人工歯に接続された状態で少なくとも２本の人工歯を製作するステップと、共通配置支持体が少なくとも２本の人工歯に接続された状態で義歯床に少なくとも２本の人工歯を配列するステップと、義歯床に少なくとも２本の人工歯を取り付けるステップと、共通配置支持体を取り除くステップと、を含む。これは、義歯の義歯床に人工歯を適切に配置することを更に保証する。
2019528997.tif 000002
【特許請求の範囲】
【請求項１】
義歯床と前記義歯床に配列される少なくとも２本の人工歯とを備える義歯を製作する方法であって、当該方法が、
−前記義歯床を取得するステップと、
−前記少なくとも２本の人工歯を所望の相対的配列に維持するために共通配置支持体が前記少なくとも２本の人工歯に接続された状態で前記少なくとも２本の人工歯を製作するステップであって、前記共通配置支持体及び前記少なくとも２本の人工歯が１つのユニットとして製作される、ステップと、
−前記共通配置支持体が前記少なくとも２本の人工歯に接続された状態で前記少なくとも２本の人工歯を前記義歯床に配列するステップと、
−前記少なくとも２本の人工歯を前記義歯床に取り付けるステップと、
を含む、方法。
【請求項２】
当該方法が、前記共通配置支持体を取り除くステップを更に含む、請求項１に記載の方法。
【請求項３】
前記共通配置支持体及び前記少なくとも２本の人工歯が、フライス削りなどの減法製作法によって製作される、請求項１又は２に記載の方法。
【請求項４】
前記共通配置支持体及び前記少なくとも２本の人工歯が、３Ｄプリントなどの加法製作法によって製作される、請求項１又は２に記載の方法。
【請求項５】
前記共通配置支持体が、前記少なくとも２本の人工歯の咬合面に接続される、請求項１〜４のいずれか１項に記載の方法。
【請求項６】
デジタル義歯床と少なくとも２本のデジタル人工歯を備えるデジタル設計された義歯に設置される前記少なくとも２本の人工歯の製作をデジタル計画する方法であって、当該方法が、
−前記デジタル義歯床と、前記少なくとも２本の人工歯の間の所望の相対的配列で前記デジタル義歯床に配列される前記少なくとも２本のデジタル人工歯と、を備える前記デジタル設計された義歯を取得するステップと、
−少なくとも２本の人工歯を前記所望の相対的配列に維持するために前記２本の人工歯が共通配置支持体に取り付けられるように、前記少なくとも２本のデジタル人工歯によって表された前記少なくとも２本の人工歯の製作をデジタル計画するステップと、
を含む、方法。
【請求項７】
前記共通配置支持体を表すデジタル共通配置支持体及び前記少なくとも２本のデジタル人工歯が、１つのユニットとしてデジタル設計される、請求項６に記載の方法。
【請求項８】
前記デジタル共通配置支持体及び前記少なくとも２本のデジタル人工歯が、フライス削りなどの減法製作法によって製作されるように準備される、請求項６又は７に記載の方法。
【請求項９】
前記デジタル共通配置支持体及び前記少なくとも２本のデジタル人工歯が、３Ｄプリントなどの加法製作法によって製作されるように準備される、請求項６又は７に記載の方法。
【請求項１０】
前記デジタル共通配置支持体が、前記少なくとも２本のデジタル人工歯の咬合面に接続される、請求項１〜４のいずれか１項に記載の方法。
【請求項１１】
義歯床と、少なくとも２本の人工歯であって、当該少なくとも２本の人工歯を所望の相対的配列に維持するために当該少なくとも２本の人工歯に接続された共通配置支持体を伴う、少なくとも２本の人工歯と、を備える、義歯組立体。
【請求項１２】
前記少なくとも２本の人工歯及び前記共通配置支持体が、１つのユニットとして形成される、少なくとも請求項１１に記載の義歯組立体。
【請求項１３】
前記共通配置支持体が、前記人工歯肉に配置される前記少なくとも２本の人工歯の近位端部から、前記人工歯肉から離れる方向を向く前記人工歯の遠位端部へ向かって途中まで延びる、請求項１１又は１２に記載の義歯組立体。
【請求項１４】
前記共通配置支持体が、前記少なくとも２本の人工歯が前記人工歯肉に配列されたときに、視覚的に隠される、請求項１１，１２又は１３に記載の義歯組立体。
【請求項１５】
前記人工歯肉が、前記少なくとも２本の人工歯の近位端部及び前記共通配置支持体を受け入れるための単一の連続陥凹部を備える、請求項１１、１２、１３又は１４に記載の義歯組立体。
【発明の詳細な説明】
【技術分野】
【０００１】
本発明は、概略的に、義歯床に人工歯を正確に配置するための共通配置支持体に関する。特に、本発明は、義歯床に人工歯を配置するために３Ｄプリント時に与えられる共通配置支持体に関する。
【背景技術】
【０００２】
義歯をデジタル設計し製作する際、デジタル設計の義歯構成が最終製作モデルへ移転されることが重要である。特に、義歯が義歯床（主に歯肉を表す）と数本の人工歯とで形成される場合、患者のために所望の咬合、機能性及び／又は美感を得るために、設計通りのかつ所望の正確な位置に人工歯を配置するのは難しい場合がある。
【０００３】
この問題を解決するために、様々な解決策が提案されてきた。例えば米国特許出願公開第２０１６／０２５６２４７号明細書は、歯科移転テンプレートの使用を提案し、欧州特許第１４４４９６５号明細書は、プロテーゼベースへの位置付け支援の使用を提案する。
【０００４】
しかしながら、いくつかの状況において、人工歯を製作するために使用される製作方法は、本明細書において開示するように義歯床における人工歯の位置付けを改良するための代替的なかつ／又は更なる手段も提供する。
【発明の概要】
【０００５】
１つの形態において、義歯床と義歯床に配列される少なくとも２本の人工歯とを備える義歯を製作する方法が開示される。方法は、
−義歯床を取得するステップと、
−少なくとも２本の人工歯を所望の相対的配列に維持するために、共通配置支持体が少なくとも２本の人工歯に接続された状態で少なくとも２本の人工歯を製作するステップであって、共通配置支持体及び少なくとも２本の人工歯が１つのユニットとして製作される、ステップと、
−共通配置支持体が少なくとも２本の人工歯に接続された状態で少なくとも２本の人工歯を義歯床に配列するステップと、
−義歯床に少なくとも２本の人工歯を取り付けるステップと、
を含む。
【０００６】
共通配置支持体が少なくとも２本の人工歯に接続された状態で少なくとも２本の人工歯を製作することによって、２本の人工歯の処置時に所望の相対的配列が維持されることが確保される。
【０００７】
したがって、これは、少なくとも２本の人工歯が義歯床に配置されるときに所望の相対的配列が維持されるようにし、それによって、最終的義歯の所望の美感及び機能性が得られることを保証する。
【０００８】
義歯設計は様々に得られる。しかしながら、デジタル設計ソフトウェア／コンピュータ支援設計（ＣＡＤ）ソフトウェアを使用することによって、プロセスを容易にできる。例えば、デスクトップスキャナを使用して既存の義歯を走査し、この走査に基づいて、古い形状を使用することによってあるいは古い形状に基づいて新たに設計することによって、新しいデジタル義歯設計を得ることができる。別の実施形態において、口腔内スキャナを使用して患者の口腔が走査され、走査された口腔に適合するように義歯を設計できる。使用者は、デジタル義歯設計を完成するために様々な異なるデジタル設計ツールを使用できる。
【０００９】
デジタル義歯は、義歯床及びデジタル人工歯を別個に製作するために、義歯床とデジタル人工歯とに区分化される、即ち分離される。
【００１０】
デジタル義歯設計に基づいて、義歯床及び人工歯は別個に製作される。これは、義歯床は歯肉面に似た材料で製作しなければならず、人工歯は歯に似た材料で製作しなければならないからである。
【００１１】
本開示は、前記の部品が別個に製作される場合に義歯床に人工歯を配置する際の問題を緩和しようとする。
【００１２】
製作を更に容易にするために、共通配置支持体及び少なくとも２本の人工歯は、例えば同じ材料を使用して１つの製造ステップで部品を製造することによって、１つのユニットとして製作される。
【００１３】
１つの実施形態において、方法は、更に、共通配置支持体を取り外すステップを含む。これは、患者が最終義歯を着用したとき通常見えるエリアに共通配置支持体が配置された場合に有利である。
【００１４】
製作は、例えば、フライス削りなどの減法製作法（subtractive manufacturing method）によって又は３Ｄプリントなどの加法製作法（additive manufacturing method）によって実施できる。この製作法は、両方とも、上述のように１つの製造ステップで共通配置支持体及び少なくとも２本の人工歯を提供できる。
【００１５】
３Ｄプリントなどの加法製作を使用する場合の１つの具体的な利点は、製作が正確に計画される場合に、製造時に生成される支持スプルーが、共通配置支持体として使用できることである。
【００１６】
１つの実施形態において、共通配置支持体は、少なくとも２本の人工歯の咬合面に接続される。これによって、人工歯を障害物なしに配置できる。
【００１７】
代替的な実施形態において、共通配置支持体は、人工歯の舌側面に接続される。これは、舌側面が口腔へ向かって内向きに面し、したがって、最終義歯の視覚的美感又は咬合に影響を与えず、よって、共通配置支持体の取外しを容易にするので、有利である。
【００１８】
別の形態において、デジタル義歯床と少なくとも２本のデジタル人工歯とを備えるデジタル設計義歯に設置される少なくとも２本のデジタル人工歯の製作をデジタル計画する方法が開示される。方法は、
−デジタル義歯床と、少なくとも２本のデジタル人工歯の間の所望の相対的配列でデジタル義歯床の中に配列される少なくとも２本のデジタル人工歯と、を備えるデジタル設計義歯を取得するステップと、
−少なくとも２本の人工歯を所望の相対的配列に維持するために少なくとも２本の義歯が共通配置支持体に取り付けられるように、少なくとも２本のデジタル人工歯によって表された少なくとも２本の人工歯の製作をデジタル計画するステップと、
を含む。
【００１９】
製作の計画時に人工歯の所望の相対的配列を維持することによって、それぞれの人工歯の個別の製作後処置を避けることができ、それによって、義歯床における人工歯の正確な位置付けを改良できる。
【００２０】
上述のように、デジタル設計義歯は、例えば以前の義歯の走査に基づいて、又は、患者口腔の口腔内走査に基づき始めから設計する、など様々に取得できる。
【００２１】
１つの実施形態において、共通配置支持体を表すデジタル共通配置支持体及び少なくとも２本のデジタル人工歯は、１つのユニットとしてデジタル設計される。
【００２２】
特に、デジタル共通配置支持体及び少なくとも２本のデジタル人工歯がフライス削りなどの減法製作法又は３Ｄプリントなどの加法製作法によって製作されるように準備されるコンピュータ化製作プロセス（ＣＡＭ）に関しては、開示する方法を使用すると有利である。この製作プロセスを使用すると、共通配置支持体及び人工歯は、同時に製作され、その後所望の相対的配列を変えることなく人工歯を処置できるようにする。
【００２３】
１つの実施形態において、デジタル共通配置支持体は、少なくとも２本のデジタル人工歯の咬合面及び／又は舌側面に接続される。
【００２４】
１つの形態において、義歯床と、少なくとも２本の人工歯であって、当該少なくとも２本の人工歯を所望の相対的配列に維持するために少なくとも２本の人工歯に接続された共通配置支持体を伴う、少なくとも２本の人工歯と、を備える義歯組立体が開示される。
【００２５】
１つの実施形態において、少なくとも２本の人工歯及び共通配置支持体は、１つのユニットとして形成される。好ましくは、同じ材料で形成される。
【００２６】
更なる実施形態において、共通配置支持体は、人工歯肉の中に配置される少なくとも２本の人工歯の近位端部から人工歯肉から離れる方向を向く人工歯の遠位端部へ向かう途中まで延びる。
【００２７】
更に別の実施形態において、共通配置支持体は、少なくとも２本の人工歯が人工歯肉に配列されたときに、視覚的に隠される。これは、例えば、人工歯が少なくとも部分的に配列される人工歯肉の中に設けられた陥凹部の縁の下方に延びる共通配置支持体を形成することによって可能になる。
【００２８】
人工歯及び共通配置支持体を受け入れるために、人工歯肉は、１つの実施形態において、少なくとも２本の人工歯の近位端部及び共通配置支持体を受け入れるための単一の連続陥凹部を有するように形成される。
【００２９】
本開示は、少なくとも２本の人工歯が必要とされる多様な義歯に応用できる。これは、例えば部分義歯、総義歯、インプラント保持義歯及び／又は取外し式義歯を含む。
【００３０】
本発明の上述の及び／又は付加的な目的、特徴及び利点は、添付図面を参照する本発明の実施形態の下記の例示的かつ非限定的な説明から更に明らかになる。
【図面の簡単な説明】
【００３１】
【図１】本明細書において開示する通りの義歯床及び共通配置支持体を有する人工歯を備える義歯の実施形態を示す。
【図２】本明細書において開示する通りの義歯床及び共通配置支持体を有する人工歯を備える義歯の第２実施形態を示す。
【図３】本明細書において開示する通りの共通配置支持体を有する人工歯の更なる実施形態を示す。
【図４】本明細書において開示する通りの共通配置支持体を有する人工歯の別の実施形態を示す。
【図５】本明細書において開示する通りのデジタル計画の方法を実施するためのシステムの実施形態の概略図である。
【図６】本明細書において開示する通りの共通配置支持体を有する人工歯の更なる実施形態を示す。
【発明を実施するための形態】
【００３２】
以下の説明は、本発明をどのように実施するかを例として示す添付図面を参照して行う。
【００３３】
図１は、義歯床１と、共通配置支持体３に接続された１組の３Ｄプリントされた人工歯２と、を備える、組立て前の義歯の部品を示す。
【００３４】
共通配置支持体３は、３Ｄプリントの結果得られる。以前は、共通配置支持体３は、歯の製作後すぐに取り除かれたが、所望の相対的配列で歯を製作することによって、共通配置支持体３は、処置中に歯の配列を維持するために、取って置かれる。
【００３５】
したがって、歯は、義歯床１の陥凹部４の中に配置され、その後、共通配置支持体が歯に接続された状態で、例えば接着によって義歯床１に取り付けられる。これによって、義歯床における歯の最適の位置付けが保証され、それによって、最終義歯の所望の咬合が得られる。接着剤が硬化したとき、共通配置支持体を取り除くことができる。
【００３６】
いくつかの状況において、前歯は改良された美感を有することが好ましいが、後方歯は機能的である限り単純な仕上げにすることができる。図２は、４本の前歯２０１が配置されている義歯床２００を示す。４本の前歯は別個に配置され、高度な美的仕上げを有する。後方歯２０２は、プリントされ、共通配置支持体２０３を介して全ての歯が所望の相対的配列（義歯のデジタル設計において決定される）で接続される。
【００３７】
技工士は、義歯床２００においてそれぞれの陥凹部２０４の中に後方歯２０２を容易に配置し接着することがき、正確な配列及びそれによる咬合が確保されたことを知ることができる。接着剤が硬化したら、技工士は、共通配置支持体を取り外す。
【００３８】
図１及び図２は、共通配置支持体をどのようにプリント歯の咬合面に取り付けるかを示す。別の実施形態において、共通配置支持体を人工歯の舌側面に取り付けると有利な場合がある。
【００３９】
図３に示すような実施形態において、人工歯３００は、３つのグループ３０１、３０２、３０３に分離される。人工歯は、３Ｄプリントされており、それぞれのプリントスプルー及び支持構造体は、共通配置支持体３０４、３０５及び３０６として取って置かれている。
【００４０】
図から分かるように、３Ｄプリントは、共通配置支持体が人工歯の舌側に接続されるように計画される。
【００４１】
同様に、図４の実施形態において、１組の人工歯４００が提供される。この人工歯のセットは、人工歯の舌側面に接続された共通配置支持体４０１と共に設計されている。図４の実施形態において、共通配置支持体は、人工歯と一緒にデジタル設計ソフトウェア（ＣＡＤ）で設計され、フライス削りによって製作された。
【００４２】
いくつかの実施形態について詳細に説明し図示したが、本発明は、これらの実施形態に限定されず、以下の特許請求の範囲に規定される内容の範囲内で他の方法でも実現できる。特に、他の実施形態を利用でき、本発明の範囲から逸脱することなく構造的及び機能的修正を加えることができることが分かるはずである。
【００４３】
数個の手段を列記する装置クレームにおいて、これらの手段のいくつかは、同じ１つのハードウェアアイテムによって実現できる。特定の手段が相互に異なる従属クレームにおいて引用される又は異なる実施形態において説明されると言う単なる事実は、これらの手段の組合せが有利に使用できないことを意味しない。
【００４４】
以上に及び以下に説明するデジタル特徴部及び方法のステップは、ソフトウェアにおいて実現でき、データ処理システム又はコンピュータ実行可能な命令の実行によって生じる他の処理手段において実行できる。命令は、記憶媒体から又はコンピュータネットワークを介して別のコンピュータからＲＡＭなどのメモリにロードされた、プログラムコード手段とすることができる。代替的に、説明する特徴部は、ソフトウェアではなく有線回路によって又はソフトウェアと組み合わせて実現できる。
【００４５】
図５は、本明細書において開示するように少なくとも２本のデジタル人工歯の製作をデジタル計画するために適するシステムの概略図である。システム５５０は、コンピュータ可読媒体５５２及びプロセッサ５５３を含むコンピュータ装置５５１を備える。システムは、視覚表示ユニット５５６と、コンピュータキーボード５５４と、データを入力しかつ視覚表示ユニット５５６上に視覚化された仮想ボタンを起動するためのコンピュータマウス５５５と、を更に備える。視覚表示ユニット５５６は、コンピュータ画面とすることができる。コンピュータ装置５５１は、３ｓｈａｐｅＴＲＩＯＳが製造するＴＲＩＯＳ口腔内スキャナなどの走査デバイス５５７から患者の顎／口腔のデジタル３Ｄ表示を受け取ることができる、又は、そのような走査デバイスから走査データを受け取って、そのような走査データに基づいて患者の顎／口腔のデジタル３Ｄ表示を形成することができる。受け取った又は形成されたデジタル３Ｄ表示は、コンピュータ可読媒体５５２に記憶でき、プロセッサ５５３に提供できる。プロセッサ５５３は、本明細書に開示するデジタル計画の方法のステップを実施するように構成される。
【００４６】
システムは、開示されるように、少なくとも２本のデジタル人工歯を、例えばフライス盤又は３Ｄプリンタなどのコンピュータ支援製作デバイス（ＣＡＭ）５５９へ送るためのユニット５５８を備える。
【００４７】
義歯床６０１と人工歯６０２とを備える義歯組立体６００の更に別の実施形態を図６に示す。人工歯は、全ての人工歯を接続する共通配置支持体６０３を介して１つのユニットとして提供される。これによって、人工歯の相対的位置を保証し、義歯床６０１における歯の配置を容易にする。
【００４８】
共通配置支持体は、人工歯が義歯床６０１の中に配置されたとき視覚的に隠されるように設置される。これは、人工歯が義歯床に配置されたときに共通配置支持体が陥凹部６０４の歯肉縁下方になるように、共通配置支持体を設計することによって可能になる。
【００４９】
更に、人工歯及び共通配置支持体の両方を受けるために、単一の連続陥凹部６０４が人工歯肉の中に形成される。
【図１】
2019528997.tif 000003
【図２】
2019528997.tif 000004
【図３】
2019528997.tif 000005
【図４】
2019528997.tif 000006
【図５】
2019528997.tif 000007
【図６】
2019528997.tif 000008
【国際調査報告】
2019528997.tif 000009
2019528997.tif 000010
2019528997.tif 000011